(57)【特許請求の範囲】
【請求項１】
それぞれにアドレスが割り付けられた複数の端末機器と、前記複数の端末機器とアドレスに基づく信号伝送を行う火災受信機と、該火災受信機から送信される信号に基づいて表示を行う火災表示機と、からなる火災報知設備において、
前記火災受信機は、端末機器から火災または故障の信号を受信したときに、その端末機器の重複しない一意的な番号であって変更されることがないアドレスおよび前記アドレスに対応する重複や変更の可能性がある地区名を表示する火災受信機表示操作部と、その端末機器の少なくとも前記アドレスと前記地区名を火災表示機へ伝送する表示機用伝送部を備え、
前記火災表示機は、表示手段と、該表示手段に前記火災受信機から送信された前記アドレスまたは前記地区名、または、前記アドレスと前記地区名の両方を表示するための表示切り替え手段を備えたことを特徴とする火災報知設備。
【発明の詳細な説明】
【技術分野】
【０００１】
本発明は、火災報知設備に関するものであり、特に火災表示機に関するものである。
【背景技術】
【０００２】
感知器や中継器などの端末機器にアドレスが割り付けられ、火災受信機は、端末機器のアドレスに基づいて伝送を行い火災や故障の情報を収集する火災報知設備がある（例えば、特許文献１参照）。
【０００３】
また、火災受信機では、火災や故障などの防災に係わる信号が受信部で受信されると、信号に対応した地区名を表す棟・階・地区のデータをＲＯＭから読み出し、火災表示機に伝送し、火災表示機はそのデータを受信して表示していた（例えば、特許文献２参照）。
【０００４】
上記により、建物を利用しているユーザーは、火災表示機に表示された地区名から火災等の異常が発生した場所を火災受信機以外でも容易に判別することができた。
【先行技術文献】
【特許文献】
【０００５】
【特許文献１】特開平８−２５５２９４号公報
【特許文献２】特開平６−９６３７６号公報
【発明の概要】
【発明が解決しようとする課題】
【０００６】
地区名での表示はユーザーには、わかりやすい表示ではあるが、１つの地区に複数の端末機器が設置されている場合は、設置されているどの端末機器が信号を発したときにも火災表示機に同じ地区名が表示され、また、間仕切りが変更になったなどの理由により、端末機器が属する地区が変更されると地区名が変更されてしまうため、メンテナンスなどの際に端末機器を特定するためには、信号を発した端末機器の近くに火災表示機が設置されていたとしても、火災受信機まで行って確認をしなければならなかった。
【０００７】
本発明は、上記のような課題を解決するためになされたもので、火災表示機が、地区名データと、アドレスデータのどちらか一方、または、両方を表示するための表示切り替え手段を備えるため、通常使用時においては、火災表示機で地区データ（棟階地区）を表示するので、ユーザーが火災等の発生場所を容易に判別でき、メンテナンス時においては、火災表示機でアドレスデータを表示するので、火災受信機以外の場所でもメンテナンス作業者がメンテナンスを行う端末機器の設置場所を容易に判別できることを目的とするものである。
【課題を解決するための手段】
【０００８】
本発明に係わる火災報知設備は、それぞれにアドレスが割り付けられた複数の端末機器と、前記複数の端末機器とアドレスに基づく信号伝送を行う火災受信機と、該火災受信機から送信される信号に基づいて表示を行う火災表示機と、からなる火災報知設備において、火災受信機は、端末機器から火災または故障の信号を受信したときに、その端末機器の重複しない一意的な番号であって変更されることがないアドレスおよび前記アドレスに対応する重複や変更の可能性がある地区名を表示する火災受信機表示操作部と、その端末機器の少なくともアドレスと地区名を火災表示機へ伝送する表示機用伝送部を備え、火災表示機は、表示手段と、表示手段に火災受信機から送信されたアドレスまたは地区名、または、アドレスと地区名の両方を表示するための表示切り替え手段を備えたものである。
【発明の効果】
【００１２】
火災表示機が、地区名データと、アドレスデータのどちらか一方、または、両方を表示するための表示切り替え手段を備えるため、通常使用時においては、火災表示機で地区データ（棟階地区）を表示するので、ユーザーが火災等の発生場所を容易に判別でき、メンテナンス時においては、火災表示機でアドレスデータを表示するので、火災受信機以外の場所でもメンテナンス作業者がメンテナンスを行う端末機器の設置場所を容易に判別できる。
【００１３】
また、ユーザーとメンテナンス作業者が一緒に端末機器を確認する場合には、両方を表示することによりユーザーもメンテナンス作業者も端末機器の設置場所を容易に判別できる。
【００１４】
また、火災受信機から地区名データと、アドレスデータを火災表示機に送信するため、火災表示機に火災表示機記憶部に地区名データを設定する必要が無いので間仕切り変更などで地区名データを変更する際、火災受信機のデータを変更するだけでよい。
【００１５】
また、火災受信機から受信した端末機器のアドレスデータだけを送信して、火災表示機で火災表示機記憶部からアドレスデータに対応する地区名データを読み出すため、火災受信機と火災表示機の間の通信の負荷が軽くすることができる。
【００１６】
また、メンテナンス作業者が表示切り替えを戻し忘れても、火災表示機は、所定時間経過後に自動的に地区名データ表示に戻るため、ユーザーが混乱することがない。
【図面の簡単な説明】
【００１７】
【図１】実施の形態１に係わる火災報知設備の全体構成図である。
【図２】実施の形態１に係わる火災報知設備の構成を説明するブロック図である。
【図３】実施の形態１に係わる火災時における火災表示機の表示の一例である。
【図４】実施の形態１に係わる故障時における火災表示機の表示の一例である。
【図５】実施の形態１に係わる火災報知設備の設備図の一例である。
【図６】実施の形態１に係わる故障時における火災表示機の表示の一例である。
【図７】実施の形態１に係わる故障時における火災表示機の表示の一例である。
【発明を実施するための形態】
【００１８】
本実施の形態１
本実施の形態１では、本発明に係わる火災報知設備は、伝送信号（パルス信号）を送受信することによって火災感知器等が検知した火災信号等を受信すると火災発生を報知させるいわゆるＲ型の火災報知設備である場合を例に説明する。
【００１９】
（火災報知設備の全体構成）
まず、本実施の形態１に係わる火災報知設備について説明する。
図１は、実施の形態１に係わる火災報知設備の全体構成図である。図２は、本実施の形態１に係わる火災報知設備の構成を説明するブロック図である。火災受信機ＦＡには、信号線ＤＧを介して火災表示機が接続され、さらに信号線ＳＧを介して、各種の端末機器が接続されている。
【００２０】
図１では、火災表示機ＤＰが信号線ＤＧに接続されていて、光電式アナログ感知器ＡＤ１〜ＡＤ９、熱アナログ感知器ＡＤ１０〜ＡＤ１５、アドレッサブル発信器ＡＤ１６〜ＡＤ１８、地区音響用中継器ＡＤ１９〜ＡＤ２４が信号線ＳＧに接続されている。なお、本実施の形態１では、信号線ＳＧにより火災受信機ＦＡに接続された機器を、端末機器と総称する場合がある。
【００２１】
光電式アナログ感知器ＡＤ１〜９は、煙感知器の一種であって、検出した煙のアナログ値を火災受信機ＦＡに送信する。
【００２２】
熱アナログ感知器ＡＤ１０〜１５は、熱感知器の一種であって、検出した周囲温度のアナログ値を火災受信機ＦＡに送信する。
【００２３】
アドレッサブル発信機ＡＤ１６〜ＡＤ１８は、いわゆる火災発信機であって、火災の発見者が手動操作する押しボタンを備え、押しボタンがオンされると火災信号を火災受信機ＦＡに送信する。
【００２４】
地区音響用中継器ＡＤ１９〜ＡＤ２４には、それぞれに地区ベルＢが接続されていて、火災受信機ＦＡからの制御信号に従って、地区ベルＢに電圧を印加して、火災を報知するために地区ベルＢを鳴動させる。
【００２５】
光電式アナログ感知器ＡＤ１、ＡＤ２と熱アナログ感知器ＡＤ１０および地区音響用中継器ＡＤ１９は、例えば図１に示されるように複数ある棟のうち棟１の１階の地区１に設置されている。また、光電式アナログ感知器ＡＤ３と熱アナログ感知器ＡＤ１１とアドレッサブル発信機ＡＤ１６および地区音響用中継器ＡＤ２２は、棟１の１階の地区２に設置されている。その他の端末機器についても図１に示される棟、階、地区に設置されている。
【００２６】
火災表示機ＤＰは、火災受信機からの制御信号によって、火災発生場所等の表示を行う。
【００２７】
（火災報知設備のブロック図）
次に火災報知設備の詳細な構成を説明する。
図２では、説明の都合上、火災受信機ＦＡと火災表示機ＤＰを中心に記載しているため、端末機器は光電式アナログ感知器ＡＤ２以外を省略している。
【００２８】
（火災受信機）
火災受信機ＦＡは、火災受信機制御部１１、火災受信機表示操作部１２、火災受信機記憶部１３、端末機器用送受信部１４、および火災表示機用送受信部１５を備える。火災受信機制御部１１は、火災受信機記憶部１３に予め記憶された制御プログラム等に従って、火災受信機表示操作部１２や端末機器用送受信部１４や火災表示機用送受信部１５を含む全体の動作の制御を行う。火災受信機表示操作部１２は、端末機器が検知した火災に関する情報や各端末機器の状態等を表示する画面やランプなどの表示手段と、火災受信機ＦＡや各端末機器や各火災表示機に対する操作を行うためのタッチパネルやボタンなどの操作手段を備えている。
【００２９】
火災受信機記憶部１３は、火災受信機制御部１１を動作させるためのプログラムおよび端末機器がどの地区に設置されているかの地区名データ等の各種データが格納されている。端末機器用送受信部１４は、火災受信機制御部１１に制御されて各端末機器に対して信号を送信し、また、各端末機器から送信された信号を受信する。火災表示機用送受信部１５は、火災受信機制御部１１に制御されて火災表示機ＤＰに対して信号を送信し、また、火災表示機から送信された信号を受信する。
【００３０】
（端末機器）
端末機器である、光電式アナログ感知器ＡＤ２は、端末機器制御部１６、センサ１７、端末機器記憶部１８、および端末機器送受信部１９を備える。端末機器制御部１６は、端末機器記憶部１８に予め記憶された制御プログラム等に従って、センサ１７から検出した煙のアナログ値を読み出したり、端末機器送受信部１９を含む全体の動作の制御を行ったりする。センサ１７は、ＬＥＤ等の発光素子を発光させて煙による散乱光を受光素子で検出して煙の濃度を検出する。端末機器が熱アナログ式感知器の場合は、サーミスタ等の温度により抵抗値が変化する素子などにより温度を検出する。
【００３１】
端末機器記憶部１８は、端末機器制御部１６を動作させるためのプログラムおよびアドレスの番号等の各種データが格納されている。端末機器送受信部１９は、端末機器制御部１６に制御されて火災受信機ＦＡに対して信号を送信し、また、火災受信機ＦＡから送信された信号を受信する。
【００３２】
（火災表示機）
火災表示機ＤＰは、火災表示機制御部２０、火災表示機表示操作部２１、火災表示機記憶部２２、および火災表示機送受信部２３を備える。火災表示機制御部２０は、火災表示機記憶部２２に予め記憶された制御プログラム等に従って、火災表示機表示操作部２１や火災表示機送受信部２３を含む全体の動作の制御を行う。火災表示機表示操作部２１は、火災受信機ＦＡから送信された端末機器が検知した火災に関する情報や各端末機器の状態等を表示する画面やランプなどの表示手段と、火災表示機ＤＰの操作を行うためのタッチパネルやボタンなどの操作手段を備え、操作手段の一つとしての表示切り替え手段である表示切り替えスイッチ２４を備えている。
【００３３】
火災表示機記憶部２２は、火災表示機制御部２０を動作させるためのプログラムが格納されている。火災表示機送受信部２３は、火災受信機ＦＡから送信された信号を受信し、また火災表示機制御部２０に制御されて火災受信機ＦＡに対して信号を送信する。
【００３４】
（火災受信機と端末機器の通信動作）
火災受信機ＦＡと端末機器との間で行われる通信について説明する。
端末機器には、重複しない一意的な番号であるアドレスが設定されている。火災受信機ＦＡは、そのアドレスにより端末機器の個体の識別を行い、通信を行う。
【００３５】
図１においては、端末機器に付された符号の数字部分がアドレス番号を示しており、例えば光電式アナログ感知器ＡＤ１には、アドレス１が設定されていて、熱アナログ感知器ＡＤ１０にはアドレス１０が設定されている。
【００３６】
火災受信機ＦＡは、信号線ＳＧに接続された各端末機器（図１参照）の状態情報を収集するため、各端末機器と通信を行う。
【００３７】
火災受信機ＦＡは、各端末機器との間で、以下の３種の方法により端末機器の状態情報を収集したり、端末機器等を制御したりすることができる。
【００３８】
（１）ポイントポーリング
火災受信機ＦＡは、複数接続されている端末機器の状態を収集するために、何台かを１つのグループとして端末機器に状態情報要求命令を送信する。一方、それぞれの端末機器は、状態情報要求命令に対して、自己のアドレスに応じてタイミングをはかり、状態情報を火災受信機ＦＡに通報する。火災受信機ＦＡは、このようなグループへの通信を所定周期毎に繰り返し行い、全端末機器の状態情報を収集する。
【００３９】
（２）セレクティング
火災受信機ＦＡは、所望の端末機器に対応するアドレスを指定して所定の制御命令を送信し、当該端末機器を制御する、あるいは、所望の端末機器に状態情報等の要求命令を送信し、個々の端末機器から状態情報を収集することができる。アドレスを指定された端末機器は、制御命令に対して火災受信機ＦＡへ制御結果を通報したり、要求された状態情報を通報したりする。
【００４０】
（３）システムポーリング
火災受信機ＦＡは、全ての端末機器に対して共通の制御命令を送信し、各端末機器を制御することができる。ここで、システムポーリングによる制御命令としては、例えば、火災復旧命令（火災信号を出力した感知器や中継器等を正常な監視状態に復旧させる命令）、地区音響停止命令（鳴動中の地区音響用中継器ＡＤ１９〜ＡＤ２４を停止させる命令）等がある。
【００４１】
（火災受信機と火災表示機の通信動作）
火災受信機ＦＡと火災表示機ＤＰとの間で行われる通信について説明する。
【００４２】
火災受信機ＦＡは、信号線ＤＧに接続された火災表示機ＤＰ（図１参照）の状態情報を収集するため、火災表示機と通信を行う。
【００４３】
火災受信機ＦＡは、火災表示機ＤＰとの間で、以下の２種の方法により火災表示機ＤＰの状態情報を収集したり、火災表示機ＤＰを制御して、表示を行わせたりすることができる。
【００４４】
（１）ポーリング
火災受信機ＦＡは、火災表示機ＤＰの状態を収集するために、火災表示機ＤＰに状態情報要求命令を送信する。一方、火災表示機ＤＰは、状態情報要求命令に対して、状態情報を火災受信機ＦＡに通報する。
【００４５】
（２）移報制御命令
火災受信機ＦＡは、端末機器から火災等の状態情報を受信したとき、火災表示機ＤＰに移報制御命令を送信する。移報制御命令を受信した火災表示機ＤＰは、移報制御命令に従い表示を行い火災等の報知をする。
【００４６】
（火災報知設備の動作）
火災報知設備の動作の一例を説明する。
まず、端末機器として接続された光電式アナログ感知器ＡＤ１〜９が煙を検出し、あるいは熱アナログ感知器ＡＤ１０〜１５が熱を検知する、またはアドレッサブル発信機ＡＤ１６〜１８が押しボタンのオンを検出すると、その情報が信号線ＳＧを介して火災受信機ＦＡに状態情報として伝送される。
【００４７】
火災受信機ＦＡは、光電式アナログ感知器ＡＤ１〜９や熱アナログ感知器ＡＤ１０〜１５やアドレッサブル発信機ＡＤ１６〜１８から伝送される状態情報を収集しており、この収集した状態情報に火災の情報（所定のしきい値を超える検出情報、またはボタンのオンの検出情報）が含まれている場合には、地区音響用中継器ＡＤ１９〜ＡＤ２４に制御信号を送信して地区ベルＢを鳴動させるとともに、火災表示機ＤＰに移報制御信号を送信して火災発生場所を表示させる。
【００４８】
ここで、火災報知設備の動作を、光電式アナログ感知器ＡＤ２が火災を検出した時を例に、さらに詳細に説明する。
【００４９】
光電式アナログ感知器ＡＤ２は、火災受信機ＦＡのポイントポーリングに対して、端末機器記憶部１８に設定されている自己のアドレスであるアドレス２に応じたタイミングで、状態情報を通報する。火災受信機ＦＡは、収集した状態情報を確認して、光電式アナログ感知器ＡＤ２が所定のしきい値を超えていることを検出すると、アドレス２で火災が発生したと判断する。火災受信機ＦＡは火災を報知するために、アドレス２に対応する地区名データである１棟１階１地区と、さらに地区名をわかりやすく表示するために任意に設定されたメッセージデータを火災受信機記憶部１３から読み出し、火災受信機表示操作部１２に火災が発生した端末機器のアドレスおよび地区名およびメッセージを表示する。
【００５０】
火災表示機ＦＡは、表示により火災を報知する他に、火災受信機記憶部１３からアドレス２と同じ地区に設置されている地区音響用中継器のアドレスを読み出し、地区音響用中継器ＡＤ１９に、セレクティングにより地区ベルを鳴動させるための制御命令を送信して、地区ベルを鳴動させる。火災受信機記憶部１３に、直上階および直下階への火災の報知のためなどのように、地区音響用中継器ＡＤ１９以外の他の地区音響用中継器のアドレスが設定されている場合は、その地区音響用中継器にもセレクティングにより制御命令を送信する。
【００５１】
また、火災受信機ＦＡは、自身で火災を報知すると同時に、火災表示機ＤＰでも火災を報知させるため、火災表示機ＤＰへ火災表示機用送受信部１５から移報制御信号を送信する。移報制御信号には、火災が発生しているアドレス情報であるアドレス２と地区名データである１棟１階１地区およびメッセージデータが含まれている。
【００５２】
火災表示機ＤＰは、火災表示機送受信部２３で移報制御信号を受信すると、火災表示機表示操作部２１に、図３のように地区名である「１棟１階１地区」と端末機器の種別である「光電式アナログ感知器」とメッセージである「○○○○レストラン」を表示して火災を報知する。
【００５３】
以上のように、ユーザーは、火災受信機ＦＡで火災発生場所を認知できるほかに、火災表示機ＤＰにおいても火災発生場所を認知することができる。
【００５４】
次に、図４に光電式アナログ感知器ＡＤ２で故障が発生したときの火災表示機ＤＰの火災表示機表示操作部２１での故障の報知を示す。火災表示機ＤＰへの故障の報知のための方法は、上述の火災を報知する方法とほぼ同様である。
【００５５】
火災受信機ＦＡは、ポイントポーリングにより収集した端末機器の状態情報を確認して、光電式アナログ感知器ＡＤ２が故障の情報を検出すると、アドレス２に対応する地区名データとメッセージデータを火災受信機記憶部１３から読み出し、火災受信機表示操作部１２に光電式アナログ感知器ＡＤ２の故障を表示するとともに、火災表示機ＤＰにアドレス情報と地区名データとメッセージデータを含む移報制御信号を送信する。
【００５６】
火災表示機ＤＰは、火災受信機ＦＡから送信された移報制御信号を受信すると、地区名と端末機器の種別とメッセージを表示して、光電式アナログ感知器ＡＤ２の故障の報知を行う。故障の報知を発見したユーザーは、メンテナンス業者に連絡して故障を修理してもらう。
【００５７】
ここで、火災表示機ＤＰに表示されている故障表示を見てみると、ユーザーにわかりやすい表示である「１棟１階１地区」により、故障が発生している地区名はわかるが、メンテナンス作業者が、故障した端末機器を特定するとき、図１の例のように光電式アナログ感知器ＡＤ１と光電式アナログ感知器ＡＤ２が設置されているため、同じ地区に複数の同一種別が設置されており、どちらの光電式アナログ感知器が故障であるか判別がつかない。
【００５８】
また、たとえ同じ地区に１つの光電式アナログ感知器しか設置されていない場合であっても、端末機器がどこに設置されているかが記載されている建物の設計図には、例えば図５（ａ）に示すように、光電式アナログ感知器ＡＤ２を地区名ではなくアドレスで示している。これは、同じ地区名が複数の端末機器に設定できることに加え、例えば、図５（ｂ）のようにテナントが入れ替わり、区画が変更された際には、光電式アナログ感知器ＡＤ２の地区名が変更される可能性があるのに対して、火災受信機ＦＡが重複しない一意的な番号であるアドレスに基づいて端末機器を管理しているため、端末機器に設定されたアドレスは変更されることがないためである。
【００５９】
そこで、メンテナンス作業者は、故障を修理する際には、故障が発生している端末機器のアドレスを調べるために、火災表示機ＤＰの火災表示機表示操作部２１に設けられた表示切り替えスイッチ２４を操作する。火災表示機ＤＰは、表示切り替えスイッチ２４を操作すると、故障した端末機器の地区名を表示していた図４から、火災受信機ＦＡから送信されたアドレスデータに従い、図６のようにアドレスでの表示に切り替える。
【００６０】
これにより、メンテナンス作業者は、火災表示機ＤＰにて故障が発生している端末機器のアドレスを知ることができ、図５（ａ）の設備図から故障した端末機器の設置場所がわかるので端末機器の修理を早く行うことができる。
【００６１】
さらに、火災表示機ＤＰは、表示切り替えスイッチ２４を再度操作すると図６の表示から、図７のように地区名とアドレスの両方を表示するように表示を切り替える。このように、地区名とアドレスの両方を表示すれば、ユーザーとメンテナンス作業者が一緒に故障が発生している場所に行き、故障している端末機器を特定するのに便利である。
【００６２】
また、火災表示機ＤＰは、アドレスでの表示（図６）、または地区名の表示とアドレスでの表示（図７）に切り替えられてから一定時間経過後に、地区名の表示（図４）に戻る機能を備えており、故障の修理が終わった後に、地区名での表示に切り替え忘れたとしても地区名での表示に自動的に戻るため、ユーザーが混乱することがない。
【００６３】
なお、故障の報知の場合の火災表示機ＤＰの表示切り替えについて説明したが、火災の報知の場合にも表示切り換えスイッチ２４を操作することにより、同様にアドレスの表示、または地区名とアドレスの表示に切り替えることも可能である。
【００６４】
上記のように火災表示機が、地区名データと、アドレスデータのどちらか一方、または、両方を表示するための表示切り替え手段を備えるため、通常使用時においては、火災表示機で地区データ（棟階地区）を表示するので、ユーザーが火災等の発生場所を容易に判別でき、メンテナンス時においては、火災表示機でアドレスデータを表示するので、火災受信機以外の場所でもメンテナンス作業者がメンテナンスを行う端末機器の設置場所を容易に判別できる。
【００６５】
また、ユーザーとメンテナンス作業者が一緒に端末機器を確認する場合には、両方を表示することによりユーザーもメンテナンス作業者も端末機器の設置場所を容易に判別できる。
【００６６】
また、火災受信機から地区名データと、アドレスデータを火災表示機に送信するため、火災表示機の火災表示機記憶部に地区名データを設定する必要が無いので間仕切り（地区の）変更などで地区名データを変更する際、火災受信機のデータを変更するだけでよい。
【００６７】
また、メンテナンス作業者が表示切り替えを戻し忘れても、火災表示機は、所定時間経過後に自動的に地区名データ表示に戻るため、ユーザーが混乱することがない。
【００６８】
実施の形態２
前述の実施の形態１では、火災受信機から、火災が発生したまたは故障した端末機器の地区名データとアドレスデータとメッセージデータを火災表示機に送信する例を示した。本実施の形態２では、火災受信機から、火災が発生したまたは故障した端末機器のアドレスデータだけを火災表示機に送信する例を光電式アナログ感知器ＡＤ２故障が発生した場合を中心に示す。なお、本実施の形態２では、前述の実施の形態１との相違点を中心に説明し、実施の形態１と同一または対応する構成要素については、同一の符号を付す。
【００６９】
本実施の形態２の火災表示機の火災表示機記憶部は、実施の形態１の火災表示機記憶部が、火災表示機制御部を動作させるためのプログラムを格納していたのに加えて、端末機器がどの地区に設置されているかの地区名データおよびメッセージデータが格納されている。
【００７０】
火災受信機ＦＡは、ポイントポーリングにより収集した端末機器の状態情報を確認して、光電式アナログ感知器ＡＤ２が故障の情報を検出すると、アドレス２に対応する地区名データとメッセージデータを火災受信機記憶部１３から読み出し、火災受信機表示操作部１２に光電式アナログ感知器ＡＤ２の故障を表示するとともに、火災表示機ＤＰにアドレスデータを含む移報制御信号を送信する。
【００７１】
火災表示機ＤＰは、火災受信機ＦＡから送信された移報制御信号を受信すると、受信したアドレスデータに対応する地区名データとメッセージデータを火災表示機記憶部２２から読み出し、図４のように、地区名およびメッセージを火災表示機表示操作部２１に表示して、光電式アナログ感知器ＡＤ２の故障を報知する。故障を発見したユーザーは、メンテナンス業者に連絡して故障を修理してもらう。
【００７２】
メンテナンス作業者は、故障を修理する際には、故障が発生している端末機器のアドレスを調べるために、火災表示機ＤＰの表示切り替えスイッチ２４を操作する。表示切り替えスイッチ２４を操作すると、火災表示機ＤＰは、故障した端末機器の地区名を表示していた図４から、火災受信機から送信されたアドレスデータに従い、図６のようにアドレスでの表示に切り替える。
【００７３】
これにより、メンテナンス作業者は、火災表示機ＤＰにて故障が発生している端末機器のアドレスを知ることができ、図５（ａ）の設備図から故障した端末機器の設置場所がわかるので端末機器の修理を早く行うことができる。
【００７４】
上記のように、火災表示機が、地区名データと、アドレスデータのどちらか一方、または、両方を表示するための表示切り替え手段を備えるため、通常使用時においては、火災表示機で地区データ（棟階地区）を表示するので、ユーザーが火災等の発生場所を容易に判別でき、メンテナンス時においては、火災表示機でアドレスデータを表示するので、火災受信機以外の場所でもメンテナンス作業者がメンテナンスを行う端末機器の設置場所を容易に判別できる。
【００７５】
また、火災受信機から受信した端末機器のアドレスデータだけを送信して、火災表示機で火災表示機記憶部からアドレスデータに対応する地区名データを読み出すため、火災受信機と火災表示機の間の通信の負荷が軽くすることができる。
【符号の説明】
【００７６】
ＦＡ  火災受信機、ＤＰ  火災表示機、１１  火災受信機制御部、１２  火災受信機表示操作部、１３  火災受信機記憶部、１４  端末機器用送受信部、１５  火災表示機用送受信部、２０  火災表示機制御部、２１  火災表示機表示操作部、２２  火災表示機記憶部、２３  火災表示機送受信部、２４  表示切り替えスイッチ
【図１】
0005797388.tif 000002
【図２】
0005797388.tif 000003
【図３】
0005797388.tif 000004
【図４】
0005797388.tif 000005
【図５】
0005797388.tif 000006
【図６】
0005797388.tif 000007
【図７】
0005797388.tif 000008